(57)【要約】【課題】ホルダーなどの部品数を増すことなく、必要に応じてレンズキャップを携帯用ストラップ側に引寄せて確実に固定できるようにした汎用性の高いレンズキャップの保持構造を提供する。【解決手段】撮像装置を吊下げる携帯用ストラップ１に設けた長さ調節用のこき２の適宜位置に、該こきと一体的に少なくとも一カ所以上の紐通し孔１２を形成し、一端がレンズキャップ３に接続された吊下げ用の紐４を前記紐通し孔１２に所定の摩擦力により摺動可能に挿通し、紐通し孔１２は、こき本体９の外縁部に開口するスリット１３を介して連通している。【選択図】        図１
2004219724.tif 000002
【特許請求の範囲】
【請求項１】
撮像装置を吊下げる携帯用ストラップに設けた長さ調節用のこきの適宜位置に、該こきと一体的に少なくとも一カ所以上の紐通し孔を形成し、一端がレンズキャップに接続された吊下げ用の紐を前記紐通し孔に所定の摩擦力により摺動可能に挿通したことを特徴とするレンズキャップの保持構造。
【請求項２】
前記紐通し孔は、こき本体の外縁部に開口するスリットを介して連通し、該スリットを通じて前記吊下げ用の紐を前記スリットよりも大径とした前記紐通し孔に着脱可能に挿通するものであることを特徴とする請求項１記載のレンズキャップの保持構造。
【請求項３】
前記紐通し孔が２カ所であり、かつこき本体の外縁部に開口するスリットに連通し、吊下げ用紐のループ端両側を前記各スリットを通じて紐通し孔に着脱可能に挿通するものであることを特徴とする請求項１又は２記載のレンズキャップの保持構造。
【発明の詳細な説明】
【０００１】
【発明の属する技術分野】
本発明は、携帯用撮像装置などに付帯するレンズキャップの保持構造に関し、特にレンズキャップの吊下げ用紐の長さ調整を自在にした構造に関する。
【０００２】
【従来の技術】
カメラ、デジタルカメラ、ビデオカメラなどの携帯用撮像装置に付帯するレンズキャップは、レンズを保護するための必需部品である反面、撮像時にはこれを取りはずす必要があるため、紛失しやすい部品でもある。そこで、レンズキャップを紐で保持して本体側に連結しておく構造が採用されている。
【０００３】
このうち、本体の携帯用ストラップに紐の他端部を連結しておくもの（特許文献１参照）や、本体の携帯用ストラップにレンズキャップホルダーを取付け、このキャップホルダーに紐の端部を摺動可能に連結したもの（特許文献２参照）などが代表例として掲げられる。
【０００４】
【特許文献１】
実開昭６２−１０９１４６号公報
【０００５】
【特許文献２】
特開２００−１９４０３５号公報
【０００６】
【発明が解決しようとする課題】
しかし、前者の構造では、紐がストラップと一体であるため、紛失のおそれがないものの、キャップをはずして撮影している時は、キャップが紐の長さに応じてぶらぶらと不安定な状態に吊下げられるため、画像視野に入ってしまうおそれがあるなど邪魔な存在となっていた。
【０００７】
これに対し、後者の構造では、紐の端部を引くことにより、レンズキャップはキャップホルダー側に引かれて固定状態とすることができるため、撮影時の邪魔とはならない。
しかし、この構造では、ストラップに新たにキャップホルダーを付加する必要があり、また、各メーカのストラップの寸法に応じたキャップホルダーとしなければならないため、汎用性に乏しいなどの欠点があった。
【０００８】
そこで本発明は、以上の技術課題を解決するために発明されたものであり、その目的とするところは、ホルダーなどの部品数を増すことなく、必要に応じてレンズキャップを携帯用ストラップ側に引寄せて確実に固定できるようにした汎用性の高いレンズキャップの保持構造を提供するものである。
【０００９】
【課題を解決するための手段】
このため、本発明のレンズキャップの保持構造は、図の実施の形態に示すように、撮像装置を吊下げる携帯用ストラップ１に設けた長さ調節用のこき２の適宜位置に、該こきと一体的に少なくとも一カ所以上の紐通し孔１２を形成し、一端がレンズキャップ３に接続された吊下げ用の紐４を前記紐通し孔１２に所定の摩擦力により摺動可能に挿通した。
【００１０】
また、上記紐通し孔１２は、こき本体９の外縁部に開口するスリット１３を介して連通し、該スリット１３を通じて前記吊下げ用の紐４を前記スリット１３の径よりも大径とした前記紐通し孔１２に、押し込むようにして着脱可能に挿通した。
【００１１】
更に、前記紐通し孔１２が２カ所であり、かつこき２本体９の外縁部に開口するスリット１３に連通し、吊下げ用紐のループ端両側を前記各スリット１３を通じて紐通し孔１２に着脱可能に挿通した。
【００１２】
【発明の実施の形態】
以下、本発明の好ましい実施の形態につき、添付図面を参照して詳細に説明する。図１は本発明の保持構造を構成する各部品を示し、図２，３は同組立状態を示すものである。
【００１３】
図において、１は撮像機器の携帯用ストラップ、２はストラップ１の長さ調整用こき、３は上端にループ状の紐４を一体化し、この紐４を介してこき２に吊下げられるレンズキャップ、５はストラップ１の端部をループ状に折返し保持するための合成樹脂成形体からなる口形のループホルダである。
【００１４】
ストラップ１は、比較的幅広のショルダーストラップ６と、ショルダーストラップ６の両端（図では片側のみ示している）に連結体７を介して一体に接合された比較的幅狭の機器連結用ストラップ８とからなっており、この連結用ストラップ８には前記こき２が通されるとともに、その折返し端部８ａに前記ループホルダ５を挿通し、これによって形成されるループ８ｂを図示しない機器の取付け端に連結し、ストラップ１を介して機器を保持するものである。
【００１５】
こき２は、中央開口したバックル状をなする合成樹脂成形体であって、長手方向下部両側に前記連結用ストラップ８を挿通するための凹部９ａを形成したこき本体９と、こき本体９の中央開口に横設され、かつ上面に摩擦用の凹凸１０ａを形成した支持バー１０とからなっている。そして、前記連結用ストラップ８を前記支持バー１０に跨った状態で両凹部９ａにくぐらせ、更に折返し端部８ａも同様にこき２に挿通することで、図２，３に示すように、連結用ストラップ８を長さ調節可能に固定する。
【００１６】
以上に加え、本体９の先端側には延長部９ｂが一体に延設されており、この延長部９ｂの幅方向両側上部には略半円形をなす左右対称な一対のくぼみ１１が凹設され、各くぼみ１１の中心位置には紐通し孔１２が上下貫通して形成されている。更に各紐通し孔１２は延長部９ｂの側面に切込まれたスリット１３に連通している。
【００１７】
前記各紐通し孔１２は、前記レンズキャップ３を吊下げる紐４の径よりやや小さく設定され、また各スリット１３はこれよりも幅狭であって、下部側に向けてやや拡開した形状に形成されている。
一方、紐４は編み紐などからなり、径方向に対して弾性拡縮可能な部材から構成されている。
【００１８】
したがって、紐４のループ端両側をスリット１３に挿入し、紐通し孔１２側に引張り込むことにより、紐４は弾性縮小しつつスリット１３内を移動して紐通し孔１２に挿通され、弾発的に拡径するが、紐通し孔１２との摩擦力により、その位置に保持される。図２は、前記紐４のループ端頂部が両紐通し孔１２に位置している状態を示し、この状態では紐４の長さは最大となる。
この状態から紐４のループ端頂部をつまみ上げ、図３（ａ）に示すように、紐４を上方に引上げれば、レンズキャップ３はこき２側に引上げられ、（ｂ）に示すように、こき２にほぼ接触した状態となり、この状態で紐４と紐通し孔１２との摩擦力によってこの位置に保持され、撮影の邪魔をすることなく、レンズキャップ３を保全できることになる。
【００１９】
なお、図２，３中符号３ａは、前記レンズキャップ３の両側に突設された閉蓋ロック解除用のノブである。
【００２０】
図４は本発明の他の実施形態を示すもので、くぼみ１１、紐通し孔１２及びスリット１３は延長部９ｂの片側のみ形成され、これに対応してレンズキャップの吊下げ用紐４’は一本のみであり、その頂部にストッパ１４を一体に設けた以外は、前記実施形態と同様である。必要に応じてストッパ１４を引上げることにより、こき２側に引寄せ可能である。
【００２１】
【発明の効果】
以上の説明により明らかなように、本発明によるレンズキャップの保持構造によれば、携帯用ストラップに設けた長さ調節用こきの外周縁に一体的に形成しているので、ホルダーなどの部品数を増すことなく、必要に応じてレンズキャップを携帯用ストラップ側に引寄せて確実に固定できる。また、ストラップの長さ調節用こきの一部に一体的に保持機構を設けているため、従来のストラップ用こきに代えて容易に設けることができ、汎用性が高く、各メーカのレンズキャップの保持構造に適合可能である。
【図面の簡単な説明】
【図１】本発明によるレンズキャップの保持構造を構成する各部品を示す一部拡大部分を含む分解斜視図である。
【図２】同組立状態を示す斜視図である。
【図３】（ａ）は紐を引上げてレンズキャップこき側に引寄せている状態を示す説明用斜視図、（ｂ）は同引上げ状態を示す斜視図である。
【図４】本発明の他の実施形態を示す斜視図である。
【符号の説明】
１  携帯用ストラップ
２  こき
３  レンズキャップ
４，４’レンズキャップ吊下げ用の紐
９  こき本体
１２  紐通し孔
１３  スリット
【図１】
2004219724.tif 000003
【図２】
2004219724.tif 000004
【図３】
2004219724.tif 000005
【図４】
2004219724.tif 000006